(57)【特許請求の範囲】
【請求項１】
回転電機と電力変換装置と冷却装置とこれらを収容する筐体とを備え、
前記冷却装置は、内部に中空部が設けられた本体部と、該本体部に設けられた筒状の流入部および流出部と、を有し、前記流入部および流出部は、前記本体部の中空部に連通して構成され、
前記流入部から流入した冷却液は中空部を流れて流出部から排出されることにより、前記回転電機と前記電力変換装置の少なくともいずれか一方を冷却するように構成された機電一体型回転電機であって、
前記筐体は、複数の構成部材から構成されており、
前記流入部および流出部の少なくともいずれかは、前記筐体の複数の構成部材で挟持されることによって保持されることを特徴とする機電一体型回転電機。
【請求項２】
前記流入部および流出部のいずれか一方を前記筐体の複数の構成部材で挟持し、他方を筐体内に形成された流路に連通させたことを特徴とする請求項１に記載の機電一体型回転電機。
【請求項３】
前記流入部と流出部とは、平面視で交差する方向に延びており、前記流入部および流出部の双方を筐体の複数の構成部材で挟持し、これら流入部および流出部の端部を筐体の外部に配置したことを特徴とする請求項１に記載の機電一体型回転電機。
【請求項４】
前記筐体は、回転電機を収容する回転電機収容部と、電力変換装置および該電力変換装置を冷却する冷却装置を収容する電力変換装置収容部と、を備え、これらの回転電機収容部と電力変換装置収容部とは隔壁を介して一体に形成され、
前記冷却装置における回転電機収容部側とは反対側の面に前記電力変換装置を当接して配置し、
前記冷却装置と隔壁との間に、これらの冷却装置および隔壁の双方に当接する弾性部材を配設したことを特徴とする請求項１〜３のいずれか１項に記載の機電一体型回転電機。
【請求項５】
前記筐体は、回転電機を収容する回転電機収容部と、電力変換装置および該電力変換装置を冷却する冷却装置を収容する電力変換装置収容部と、を備え、これらの回転電機収容部と電力変換装置収容部とは隔壁を介して一体に形成され、
前記冷却装置における回転電機収容部側とは反対側の面に前記電力変換装置を当接して配置し、
前記冷却装置と隔壁との間に、これらの冷却装置および隔壁の双方に当接する熱伝導部材を配設したことを特徴とする請求項１〜３のいずれか１項に記載の機電一体型回転電機。
【請求項６】
前記流入部および流出部の少なくともいずれかは、円筒状のパイプを変形させた変形パイプであり、
前記筐体の構成部材における前記変形パイプの挟持部分には、一方の構成部材側に半円状の切欠きが形成され、他方の構成部材側にＶ字状の切欠きが形成されており、
これらの一方の構成部材と他方の構成部材の切欠きの間に前記変形パイプが配置され、
前記変形パイプは、これらの一方の構成部材と他方の構成部材同士が突き合わされることによって変形したものであり、一方の構成部材と他方の構成部材で挟持されることによって保持されていることを特徴とする請求項１〜５のいずれか１項に記載の機電一体型回転電機。
【請求項７】
前記一方の構成部材の切欠きと他方の構成部材の切欠きとの少なくともいずれかの切欠きには、突起が形成されていることを特徴とする請求項６に記載の機電一体型回転電機。
【発明の詳細な説明】
【技術分野】
【０００１】
本発明は、機電一体型回転電機に関する。
【背景技術】
【０００２】
従来から、モータ部（回転電機）の上側にインバータ部（電力変換装置）が一体に結合された機電一体型回転電機が公知である（例えば、特許文献１参照）。この特許文献１に記載されたモータ部においては、円筒状に形成されたアウターハウジングとインナーハウジングとの間に冷却水路を形成し、アウターハウジングに入口パイプおよび出口パイプを取り付けている。前記入口パイプおよび出口パイプは、冷却水路に連通しており、これらの入口パイプ、出口パイプおよび冷却水路によって冷却装置が構成される。
【０００３】
入口パイプから冷却水路に流入した冷却水は、冷却水路内を周方向に沿って流れることによってモータ部を冷却したのち出口パイプから排出される。
【先行技術文献】
【特許文献】
【０００４】
【特許文献１】特開２０１１−１８２４８０号公報
【発明の概要】
【発明が解決しようとする課題】
【０００５】
しかしながら、前述の特許文献１に記載された機電一体型回転電機では、入口パイプおよび出口パイプを、それぞれアウターハウジングにボルトで締結するため、冷却装置の組立作業の作業工数が大きくなるという問題があった。
【０００６】
そこで、本発明は、組立作業が簡単な冷却装置を有する機電一体型回転電機を提供することを目的とする。
【課題を解決するための手段】
【０００７】
本発明に係る機電一体型回転電機においては、回転電機と電力変換装置と冷却装置とこれらを収容する筐体は、複数の構成部材から構成されている。前記冷却装置に設けられた流入部および流出部の少なくともいずれかは、前記筐体を構成する複数の構成部材で挟持されることによって保持される。
【発明の効果】
【０００８】
本発明に係る機電一体型回転電機によれば、流入部および流出部の少なくともいずれかを筐体の複数の構成部材で挟持して保持するため、冷却装置を筐体に組み付ける組付作業が簡単になる。
【図面の簡単な説明】
【０００９】
【図１】本発明の第１の実施形態に係る機電一体型回転電機を示す斜視図である。
【図２】図１の機電一体型回転電機の分解斜視図である。
【図３】本図のうち、（ａ）は図１のＡ−Ａ線による断面図、（ｂ）は図１のＢ−Ｂ線による断面図、（ｃ）は図１のＣ−Ｃ線による断面図である。
【図４】本発明の第２の実施形態に係る機電一体型回転電機を示す斜視図である。
【図５】図４の機電一体型回転電機の分解斜視図である。
【図６】本図のうち、（ａ）は図４のＤ−Ｄ線による断面図、（ｂ）は図４のＥ−Ｅ線による断面図、（ｃ）は図４のＦ−Ｆ線による断面図である。
【図７】本発明の第３の実施形態に係る機電一体型回転電機の断面図である。
【図８】本発明の第４の実施形態に係る筒状の流入部、横型カバーの切欠きおよびハウジング本体の切欠きを示す分解斜視図である。
【図９】本図のうち、（ａ）は図８の正面図、（ｂ）は横型カバーの切欠きとハウジング本体の切欠きで円筒状の流入部を押し潰した状態を示す正面図である。
【図１０】本発明の第４の実施形態に係る筒状の流入部と筐体とを示す分解斜視図である。
【図１１】本図のうち、（ａ）は第５の実施形態に係る筒状の流入部、横型カバーの切欠きおよびハウジング本体の切欠きを示す正面図、（ｂ）は（ａ）のハウジング本体の切欠き近傍を上方から見た平面図、（ｃ）は横型カバーの切欠きとハウジング本体の切欠きで円筒状の流入部を押し潰した状態を示す正面図である。
【図１２】他の実施形態に係る機電一体型回転電機の分解斜視図である。
【発明を実施するための形態】
【００１０】
以下、本発明の実施形態を図面とともに詳述する。
【００１１】
[第１実施形態]
図１〜図３を用いて、本発明の第１実施形態に係る機電一体型回転電機１を説明する。
【００１２】
第１実施形態に係る機電一体型回転電機１は、回転電機と電力変換装置１３と冷却装置３とこれらを収容する筐体１９とを備えている。
【００１３】
前記冷却装置３は、内部に中空部が設けられた本体部５と、該本体部５に設けられた円筒状の流入部７および流出部９と、を有している。前記本体部５は、扁平な箱型状に形成されている。前記流入部７および流出部９は、前記本体部５の中空部に連通して構成されている。そして、前記流入部７から流入した冷却液は中空部を流れて流出部９から、後述するハウジング本体２１の流路３９に連通した挿入口１１に流出される。
【００１４】
前記電力変換装置１３は、本実施形態では、コンデンサ１５とパワーモジュール１７である。これらのコンデンサ１５とパワーモジュール１７は扁平な箱型状に形成されており、冷却装置３の本体部５の上に当接した状態で配設されている。電力変換装置１３は、通電によって発熱するため、冷却装置３に接することで冷却される。
【００１５】
前記筐体１９は、ハウジング本体２１（構成部材）と、このハウジング本体２１の側部に形成された開口を側方から封止する縦型カバー２３（構成部材）と、から構成されている。このように、前記筐体１９は、複数（本実施形態では２つ）の構成部材から構成されている。
【００１６】
前記ハウジング本体２１（構成部材）は、一端側（図２の奥側）が封止され、他端側（図２の手前側）が開口している。具体的には、前記ハウジング本体２１は、下側が有底の円筒体からなる回転電機収容部２５に形成され、上側が箱型状の電力変換装置収容部２７に形成されている。電力変換装置収容部２７は、上壁２９と側壁３１と後壁３３とから画成される。また、図３に示すように、電力変換装置収容部２７の内方において、側壁３１と後壁３３とが交差する角部３５は、内部が中空状の流路３７に形成され、この流路３７内を冷却液が流通する。即ち、図２に示すように、冷却装置３の流出部９を電力変換装置収容部２７の内方の角部３５の挿入口１１に挿入することにより、電力変換装置１３が搭載された冷却装置３を電力変換装置収容部２７に組み付ける。これにより、前記冷却装置３の流入部７から流入した冷却液は本体部５の中空部を流れて流出部９から、電力変換装置収容部２７の角部３５の挿入口１１に入る。角部３５内の流路３７は、ハウジング本体２１の流路３９に連通しているため、角部３５内の流路３７に入った冷却液は、ハウジング本体２１の流路３９を流れる。また、前記電力変換装置収容部２７の側面４１には、正面視が半円状のハウジング側切欠き４３が形成されている。
【００１７】
そして、前記縦型カバー（構成部材）２３は、図２の側方から見ると、下側が円形状に形成され、上側が矩形状に形成されている。具体的には、縦型カバー２３は、上下方向に延びる縦壁４５と、縦壁４５の周縁で屈曲してハウジング本体２１に向けて延びる側壁４７および上壁４９と、から一体形成されている。このように、縦型カバー２３は、蓋状に形成されている。そして、側壁４７の上部には、正面視が半円状のカバー側切欠き５１が形成されている。これらのカバー側切欠き５１とハウジング側切欠き４３とは同じ高さ位置に配置され、両者を合わせると、円形状の穴に形成される。
【００１８】
ここで、冷却装置３の流入部７は、円筒状に形成されている。カバー側切欠き５１とハウジング側切欠き４３とを突き合わせて形成される円形の穴は、流入部７とほぼ同一の径寸法に形成される。従って、冷却装置３の流入部７は、カバー側切欠き５１とハウジング側切欠き４３とで挟持されることによって保持される。なお、図３（ａ）（ｂ）に示すように、電力変換装置収容部２７の角部３５の壁には、溝５３が形成され、この溝内にＯリング５５が嵌合されている。これによって、冷却装置３の流入部７は、Ｏリング５５によってシールされる。
【００１９】
以下に、第１実施形態による作用効果を説明する。
【００２０】
（１）本発明の第１実施形態に係る機電一体型回転電機１は、回転電機と電力変換装置１３と冷却装置３とこれらを収容する筐体１９とを備えている。
【００２１】
前記冷却装置３は、内部に中空部が設けられた本体部５と、該本体部５に設けられた筒状の流入部７および流出部９と、を有している。前記流入部７および流出部９は、前記本体部５の中空部に連通して構成され、前記流入部７から流入した冷却液は中空部を流れて流出部９から排出されることにより、少なくとも前記電力変換装置１３を冷却するように構成されている。
【００２２】
前記筐体１９は、ハウジング本体２１および縦型カバー２３（複数の構成部材）から構成されており、前記流入部７は、ハウジング本体２１および縦型カバー２３（複数の構成部材）で挟持されることによって保持される。
【００２３】
このように、流入部７を筐体１９の複数の構成部材で挟持して保持するため、冷却装置３を筐体１９に組み付ける組付作業が簡単になる。
【００２４】
（２）前記流入部７をハウジング本体２１および縦型カバー２３（複数の構成部材）で挟持し、筐体１９内に形成された挿入口１１（流路３７）に流出部９を連通させた。
【００２５】
このように、流出部９を筐体１９内に形成された流路３７に連通させている。従って、冷却装置３を筐体１９に組み付ける組付作業がさらに簡単になり、また、ホースやバンドなどの中間部材を設ける必要がなく、部品点数の削減になる。
【００２６】
[第２実施形態]
次に、図４〜図６を用いて、本発明の第２実施形態に係る機電一体型回転電機について説明するが、前述した第１実施形態と同一構成部位には同一符号を付けて、説明を省略する。
【００２７】
第２実施形態に係る機電一体型回転電機１０１は、回転電機と電力変換装置１３と冷却装置３とこれらを収容する筐体１１９とを備えている。
【００２８】
前記冷却装置３は、内部に中空部が設けられた本体部５と、該本体部５に設けられた円筒状の流入部７および流出部９と、を有している。前記本体部５は、扁平な箱型状に形成されている。前記流入部７および流出部９は、前記本体部５の中空部に連通して構成されている。そして、前記流入部７から流入した冷却液は、中空部を流れて流出部９から流出される。
【００２９】
前記電力変換装置１３は、本実施形態では、コンデンサ１５とパワーモジュール１７である。これらのコンデンサ１５とパワーモジュール１７は扁平な箱型状に形成されており、冷却装置３の本体部５の上に当接した状態で配設されている。電力変換装置１３は、通電によって発熱するため、冷却装置３に接することで冷却される。
【００３０】
前記筐体１１９は、下側に配置されたハウジング本体１２１（構成部材）と、このハウジング本体１２１の上部に形成された開口を上方から封止する横型カバー１２３（構成部材）と、から構成されている。このように、前記筐体１１９は、複数（本実施形態では、２つ）の構成部材から構成されている。
【００３１】
前記ハウジング本体１２１（構成部材）は、下側が回転電機収容部１２５に形成され、上側が電力変換装置収容部１２７に形成されている。電力変換装置収容部１２７は、側壁１０２と底壁１０３とから画成される。ここで、前記底壁１０３は、回転電機収容部１２５と電力変換装置収容部１２７とを隔離する隔壁１０４に形成されている。また、前記筐体１１９の側壁１０２の上面１０２ａにおける２箇所の部分には、正面視が半円状の第１のハウジング側切欠き１０５と第２のハウジング側切欠き１０６が形成されている。そして、電力変換装置収容部１２７の底壁１０３（隔壁１０４）の上に、平面視が矩形状で所定厚さを有する板状の弾性部材１０７（本実施形態ではゴム部材）が載置されている。この弾性部材１０７は、冷却装置３と底壁１０３との間に配置され、これらの冷却装置３および底壁１０３の双方に当接している。なお、弾性部材１０７としては、本実施形態に係るゴム以外にも、樹脂やバネなどを適用できる。
【００３２】
また、横型カバー１２３（構成部材）は、上壁１０８と、該上壁１０８の周縁から屈曲して下方に延在する４つの側壁１０９とから蓋状に一体に形成されている。側壁１０９の下面１１０には、前記ハウジング本体１２１の側壁１０２に形成された第１のハウジング側切欠き１０５と第２のハウジング側切欠き１０６に対応する位置に、第１のカバー側切欠き１１１と第２のカバー側切欠き１１２が形成されている。これらの第１のカバー側切欠き１１１および第２のカバー側切欠き１１２は、ともに正面視が半円状に形成されている。従って、これらの第１のハウジング側切欠き１０５と第１のカバー側切欠き１１１とを合わせると、円形状の穴に形成される。また、第２のハウジング側切欠き１０６と第２のカバー側切欠き１１２とを合わせると、円形状の穴に形成される。ここで、冷却装置３の流入部７は、円筒状に形成されている。第１のハウジング側切欠き１０５と第１のカバー側切欠き１１１とを突き合わせて形成される円形の穴は、流入部７とほぼ同一の径寸法に形成される。従って、冷却装置３の流入部７は、第１のハウジング側切欠き１０５と第１のカバー側切欠き１１１とで挟持されることによって保持される。
【００３３】
同様に、第２のハウジング側切欠き１０６と第２のカバー側切欠き１１２とを突き合わせて形成される円形の穴は、流出部９とほぼ同一の径寸法に形成される。従って、冷却装置３の流出部９は、第２のハウジング側切欠き１０６と第２のカバー側切欠き１１２とで挟持されることによって保持される。このように、前記流入部７および流出部９の双方をハウジング本体１２１と横型カバー１２３（筐体１１９の複数の構成部材）で挟持し、これら流入部７および流出部９の端部をハウジング本体１２１および横型カバー１２３の外部に配置している。
【００３４】
そして、図５および図６（ａ）に示すように、冷却装置３を平面視で見ると、筒状の流入部７と流出部９とは、直交して延びている。このように、本実施形態では、流入部７と流出部９とは、平面視において交差して延びている。
【００３５】
以下に、第２実施形態による作用効果を説明する。
【００３６】
（１）前記流入部７と流出部９とは、平面視で交差する方向に延びており、前記流入部７および流出部９の双方を筐体１１９の複数の構成部材で挟持し、これら流入部７および流出部９の端部を筐体１１９の外部に配置した。
【００３７】
このように、流入部７と流出部９とが交差して延びているため、前記流入部７および流出部９を挟持して位置決めする作業が効率的になる。流入部７および流出部９の端部を筐体１１９の外部に配置したため、流入部７および流出部９が他の流路に接続される接続部分も筐体１１９の外側に配置される。従って、当該接続部分から冷却液が漏れて筐体１１９内に滞留することが抑制される。
【００３８】
（２）前記筐体１１９は、回転電機を収容する回転電機収容部１２５と、電力変換装置１３および該電力変換装置１３を冷却する冷却装置３を収容する電力変換装置収容部１２７と、を備えている。これらの回転電機収容部１２５と電力変換装置収容部１２７とは底壁１０３（隔壁１０４）を介して一体に形成され、前記冷却装置３における回転電機収容部１２５の対向面とは反対側の面に前記電力変換装置１３を当接して配置している。換言すれば、前記冷却装置３における回転電機収容部側とは反対側の面である上面に前記電力変換装置１３を当接して配置している。前記冷却装置３と底壁１０３（隔壁１０４）との間に、これらの冷却装置３および底壁１０３（隔壁１０４）の双方に当接する弾性部材１０７を配設した。即ち、本実施形態では、冷却装置３の上面に冷却装置３を載置し、冷却装置３の下面と底壁１０３（隔壁１０４）の上面との間に弾性部材１０７を配置している。
【００３９】
このように、冷却装置３と底壁１０３との間に弾性部材１０７を配設しているため、回転電機から電力変換装置１３に伝達される振動音が弾性部材１０７によって低減される。
【００４０】
[第３実施形態]
次に、図７を用いて、本発明の第３実施形態に係る機電一体型回転電機について説明するが、前述した第１および第２の実施形態と同一構成部位には同一符号を付けて、説明を省略する。
【００４１】
図７に示すように、本実施形態に係る機電一体型回転電機２０１では、冷却装置３と底壁１０３（隔壁１０４）との間に、これらの冷却装置３および底壁１０３の双方に当接する熱伝導部材２０３を配設している。この熱伝導部材２０３は、平面視が矩形状の板状に形成されており、モータ側の底壁１０３からの熱を冷却装置３に伝える作用を有する。なお、熱伝導部材２０３としては、アルミニウム、銅、および樹脂からなる伝熱シートが適用可能である。
【００４２】
以下に、第３実施形態による作用効果を説明する。
【００４３】
（１）前記筐体１１９は、回転電機を収容する回転電機収容部１２５と、電力変換装置１３および該電力変換装置１３を冷却する冷却装置３を収容する電力変換装置収容部１２７と、を備えている。これらの回転電機収容部１２５と電力変換装置収容部１２７とは底壁１０３（隔壁１０４）を介して一体に形成され、前記冷却装置３における回転電機収容部１２５の対向面とは反対側の面に前記電力変換装置１３を当接して配置している。換言すれば、前記冷却装置３における回転電機収容部側とは反対側の面である上面に前記電力変換装置１３を当接して配置している。前記冷却装置３と底壁１０３（隔壁１０４）との間に、これらの冷却装置３および底壁１０３（隔壁１０４）の双方に当接する熱伝導部材２０３を配設した。即ち、本実施形態では、冷却装置３の上面に冷却装置３を載置し、冷却装置３の下面と底壁１０３（隔壁１０４）の上面との間に熱伝導部材２０３を配置している。
【００４４】
回転電機の熱は、底壁１０３（隔壁１０４）および熱伝導部材２０３を介して冷却装置３に効率的に伝達される。従って、一つの冷却装置３で電力変換装置１３および回転電機の双方を冷却することができる。
【００４５】
[第４実施形態]
次に、図８，９を用いて、本発明の第４実施形態に係る機電一体型回転電機について説明するが、前述した第１〜第３の実施形態と同一構成部位には同一符号を付けて、説明を省略する。
【００４６】
第４実施形態では、横型カバー１２３（第２実施形態参照）の側壁１０９におけるカバー側切欠き３０１は正面視が半円状に形成され、ハウジング本体１２１（第２実施形態参照）の側壁１０２におけるハウジング側切欠き３０２は正面視がＶ字状に形成されている。具体的には、ハウジング側切欠き３０２は、幅方向の中央部に形成された下方に向けて延びる正面視が矩形状に形成された溝部３０３と、該溝部３０３から上方に行くに従って幅方向に徐々に広がる傾斜部３０４と、から構成される。
【００４７】
冷却装置３に設けた流入部７および流出部９は、円筒状の金属製パイプである。次いで、流入部７を筐体１１９に取り付ける手順を説明する。まず、図９（ａ）に示すように、横型カバー１２３のカバー側切欠き３０１とハウジング本体１２１のハウジング側切欠き３０２との間に前記金属製パイプからなる流入部７を配置する。次に、図９（ｂ）に示すように、横型カバー１２３の側壁１０９の下端１０９ａとハウジング本体１２１の側壁１０２の上面１０２ａとを突き合わせる。これによって、流入部７の上側半分が保持されると共に、下側半分がＶ字状のハウジング側切欠き３０２によって流入部７の下側半分を塑性変形させることができる。なお、本実施形態では、流入部７および流出部９を円筒状の金属製パイプで構成し、Ｖ字状のハウジング側切欠き３０２によって塑性変形させたが、流入部７および流出部９を弾性体で構成し、Ｖ字状のハウジング側切欠き３０２で弾性変形させてもよい。
【００４８】
以下に、第４実施形態による作用効果を説明する。
【００４９】
（１）前記流入部７および流出部９は、円筒状のパイプであり、
前記筐体１１９の構成部材における流入部７および流出部９の挟持部分には、一方の構成部材側に半円状のカバー側切欠き３０１（切欠き）が形成され、他方の構成部材側にＶ字状のハウジング側切欠き３０２（切欠き）が形成されている。
【００５０】
これらの一方の構成部材と他方の構成部材の切欠きの間に流入部７および流出部９を配置し、これらの一方の構成部材と他方の構成部材同士を互いに突き当てることによって、流入部７および流出部９を変形させた。
【００５１】
このように、流入部７および流出部９のそれぞれにおける外周面の半分側をＶ字状に変形させるため、この変形した部位と構成部材の切欠きが密着する。従って、流入部７および流出部９を筐体１１９に対してガタツキなく確実に保持することができる。
【００５２】
[第５実施形態]
次に、図１０，１１を用いて、本発明の第５実施形態に係る機電一体型回転電機について説明するが、前述した第１〜第４の実施形態と同一構成部位には同一符号を付けて、説明を省略する。
【００５３】
第５実施形態に係る機電一体型回転電機では、横型カバー１２３（第２実施形態参照）におけるカバー側切欠き３０１は正面視が半円状に形成され、ハウジング本体１２１（第２実施形態参照）の側壁１０２におけるハウジング側切欠き４０２は正面視がＶ字状に形成されている。具体的には、ハウジング側切欠き４０２は、幅方向の中央部に形成され、下方に向けて延びる正面視が矩形状に形成された溝部３０３と、該溝部３０３から上方に行くに従って幅方向に徐々に広がる傾斜部４０４と、から構成される。そして、傾斜部４０４は、図１０に示すように、平面状の傾斜面４０５と、傾斜面４０５における側壁１０２の厚さ方向の中央部に形成された突起４０６と、からなる。これらの突起４０６，４０６は、対向する傾斜面４０５，４０５のそれぞれに一対に形成されている。
【００５４】
冷却装置３に設けた流入部７および流出部９は、円筒状の金属製パイプである。次いで、流入部７を筐体１１９に取り付ける手順を説明する。まず、図１１（ａ）（ｂ）に示すように、横型カバー１２３のカバー側切欠き３０１とハウジング本体１２１のハウジング側切欠き４０２との間に前記流入部７を配置する。次に、図１１（ｃ）に示すように、横型カバー１２３の側壁１０９の下端１０９ａとハウジング本体１２１の側壁１０２の上面１０２ａとを突き合わせる。これによって、流入部７の上側半分が保持されると共に、下側半分がＶ字状のハウジング側切欠き４０２によって、流入部７の下側半分を塑性変形させることができる。本実施形態では、特に突起４０６が流入部７の下側半分に対して径方向内側に食い込む。なお、本実施形態では、流入部７および流出部９を円筒状の金属製パイプで構成し、Ｖ字状のハウジング側切欠き４０２によって塑性変形させたが、流入部７および流出部９を弾性体で構成し、Ｖ字状のハウジング側切欠き４０２や突起４０６で弾性変形させてもよい。また、突起４０６は、横型カバー１２３のカバー側切欠き３０１に設けてもよい。
【００５５】
以下に、第５実施形態による作用効果を説明する。
【００５６】
（１）前記筐体１１９の構成部材における流入部７および流出部９の挟持部分には、一方の構成部材側に半円状のカバー側切欠き３０１（切欠き）が形成され、他方の構成部材側にＶ字状のハウジング側切欠き４０２（切欠き）が形成されている。他方の構成部材の切欠きには、突起４０６が形成されている。
【００５７】
前記突起４０６によって、流入部７および流出部９の外周面が径方向内側に向けて凹む変形をするため、流入部７および流出部９が筐体１１９から抜けにくくなる効果を有する。
【００５８】
[他の実施形態]
次に、図１２を用いて、本発明の他の実施形態に係る機電一体型回転電機５０１について説明するが、前述した第１〜第５の実施形態と同一構成部位には同一符号を付けて、説明を省略する。
【００５９】
本実施形態に係る冷却装置５０３では、第１〜第３の実施形態に係る冷却装置３と、扁平な箱型状に形成されたパワーモジュール用冷却器５０５と、からなる。具体的には、冷却装置３の上にパワーモジュール用冷却器５０５を載置し、該パワーモジュール用冷却器５０５の上にパワーモジュール１７を載置している。このように、冷却装置３とパワーモジュール１７との間にパワーモジュール用冷却器５０５を配置している。
【００６０】
ここで、パワーモジュール用冷却器５０５の内部には、冷却液が流通可能な中空部が形成されている。そして、パワーモジュール用冷却器５０５には、冷却装置３からの冷却液が流入する入口部と、パワーモジュール用冷却器５０５の中空部内の冷却液が冷却装置３に流れ込む出口部と、が設けられている。これによって、冷却装置３の内部の冷却液が入口部からパワーモジュール用冷却器５０５に流入し、パワーモジュール用冷却器５０５の内部を流れることによってパワーモジュール用冷却器５０５が冷却されたのち、出口部から冷却装置３に冷却液が戻る。
【００６１】
以下に、本実施形態による作用効果を説明する。
（１）本実施形態では、冷却装置３の上にパワーモジュール用冷却器５０５を載置し、該パワーモジュール用冷却器５０５の上にパワーモジュールを載置している。従って、パワーモジュール１７をパワーモジュール用冷却器５０５によって更に効率的に冷却することができる。
【００６２】
ところで、本発明の機電一体型回転電機は前述の実施形態に例をとって説明したが、この実施形態に限ることなく本発明の要旨を逸脱しない範囲で他の実施形態を各種採用することができる。
【００６３】
例えば、前記冷却装置３は、回転電機と電力変換装置１３とのどちらを冷却するように構成してもよい。
【符号の説明】
【００６４】
１  機電一体型回転電機
３  冷却装置
５  本体部
７  流入部
９  流出部
１１  挿入口
１３  電力変換装置
１９，１１９  筐体
２１  ハウジング本体（複数の構成部材）
２３  縦型カバー（複数の構成部材）
３７  流路
１０４  隔壁
１０７  弾性部材
１２５  回転電機収容部
１２７  電力変換装置収容部
２０３  熱伝導部材
３０１  カバー側切欠き（切欠き）
３０２  ハウジング側切欠き（切欠き）
４０６  突起
【図１】
0006582546.tif 000002
【図２】
0006582546.tif 000003
【図３】
0006582546.tif 000004
【図４】
0006582546.tif 000005
【図５】
0006582546.tif 000006
【図６】
0006582546.tif 000007
【図７】
0006582546.tif 000008
【図８】
0006582546.tif 000009
【図９】
0006582546.tif 000010
【図１０】
0006582546.tif 000011
【図１１】
0006582546.tif 000012
【図１２】
0006582546.tif 000013